(57)【要約】【課題】立体映像の表示技術を用いることでハードウェアを持たず、いつでも要素の配置・追加の等の編集やメッセージの保存が容易にでき、使用スペースを最小限に抑え、位置変更も可能な、機器の保守・点検システムを提供することである。【解決手段】本実施形態に係る機器の保守・点検システムは、送信手段と、表示手段と、受付手段と、を備えた携帯端末と、保守点検対象の機器と前記携帯端末とを接続するサーバと、を有し、前記送信手段は前記機器を特定するためのＩＤ情報を前記サーバに送信し、前記表示手段は前記サーバから前記ＩＤ情報に応じた操作盤を表示し、前記受付手段は表示された前記操作盤を用いて操作指示を受け付け、前記送信手段は前記操作指示を前記サーバに送信することを特徴とする。【選択図】図１
2016115217.tif 000002
【特許請求の範囲】
【請求項１】
送信手段と、表示手段と、受付手段と、を備えた携帯端末と、
保守点検対象の機器と前記携帯端末とを接続するサーバと、
を有し、
前記送信手段は前記機器を特定するためのＩＤ情報を前記サーバに送信し、
前記表示手段は前記サーバから前記ＩＤ情報に応じた操作盤を表示し、
前記受付手段は表示された前記操作盤を用いて操作指示を受け付け、
前記送信手段は前記操作指示を前記サーバに送信することを特徴とする
機器の保守・点検システム。
【請求項２】
送信手段と、投影手段と、受付手段と、を備えた３Ｄプロジェクタと、
保守点検対象の機器と前記３Ｄプロジェクタとを接続するサーバと、
を有し、
前記送信手段は前記機器を特定するためのＩＤ情報を前記サーバに送信し、
前記投影手段は前記サーバから前記ＩＤ情報に応じた３Ｄ操作盤を表示し、
前記受付手段は表示された前記３Ｄ操作盤を用いて操作指示を受け付け、
前記送信手段は前記操作指示を前記サーバに送信することを特徴とする
機器の保守・点検システム。
【請求項３】
前記サーバには、前記ＩＤ情報に対応する前記操作盤のデータを記憶するメモリ手段を有することを特徴とする請求項１又は２に記載の機器の保守・点検システム。
【請求項４】
前記ＩＤ情報は、前記携帯端末又は前記３Ｄプロジェクタが所有するＧＰＳ座標であることを特徴とする請求項１又は２に記載の機器の保守・点検システム。
【請求項５】
前記ＩＤ情報は、前記現場に印字されているＱＲコード（登録商標）またはＲＦＩＤを前記携帯端末又は前記３Ｄプロジェクタが読み取ることで特定されることを特徴とする請求項１又は２に記載の機器の保守・点検システム。
【発明の詳細な説明】
【技術分野】
【０００１】
本発明の実施形態は、機器の保守・点検システムに関する。
【背景技術】
【０００２】
機器の多くは、保守・点検のため、機器の近くに「操作盤」と呼ばれる装置を設置している。操作盤にはスイッチやレバー、メータ等がついており、作業員は、これらを見たり操作したりすることで、機器の状況を把握し、それに応じた作業をすることができる。
【０００３】
図１６は、従来の、機器の保守・点検システムの構成図の一例である。図１６に示す機器の保守・点検システムは、保守・点検したい機器４と、コントローラ３、サーバ２、監視室の監視操作盤１、操作盤５から構成され、これらはネットワーク回線で接続される。作業員が機器４の状況を把握し、それに応じた操作をする場合は、監視操作盤１または操作盤５を通じて作業を行う。特に、音の確認などのため、機器４の近くで作業を行った方が良い場合は、機器４の近くに設置されている操作盤５を用いることが多い。図１６において、機器４は１機のみであるが、複数の機器４−１、４−２、…４−ｎ（ｎ≧２）、がコントローラ３と接続され、操作盤５で複数の機器４−１、４−２、…４−ｎ（ｎ≧２）、を同時に保守・点検することもある。
【０００４】
通常、操作盤５は、機器４を設計する初期段階で、その時点での機器４に見合った操作盤として設計される。そのため、設計初期の段階で、操作盤５の位置や大きさ、スイッチやレバーといった要素の項目、それらの配置等が決定される。機器４の試験中などに、操作盤５の内容に不具合が生じたり、機器４に設計変更があったりすると、操作盤５の内容に、過不足や変更が生じることもある。そうすると、操作盤５の設計もやり直しとなり、後戻り工程の原因となってしまう。設計変更を視野に入れた柔軟性を持った設計を考慮するが、どれだけ柔軟性を持てるかは、設計者の熟練度に左右されるし、柔軟性を持ったとしても対応できない設計変更もある。
【０００５】
また、操作盤５を設置し、作業員がそれを操作するためには、そのためのスペースを確保する必要がある。狭い現場で設置・操作スペースを確保するのは困難である。それは、機器設計の制約にもなりかねない。設置スペースが狭いことを理由に操作盤５が小さくなってしまうと、操作盤５に搭載可能な要素にも制限が出てしまう。その結果、柔軟性を持たない設計になってしまう可能性もある。操作盤５を移動させる場合は、コントローラ３と接続されている配線を引き直す工事をする必要があり、一度設置すると配置換えが困難になるという課題もある。
【先行技術文献】
【特許文献】
【０００６】
【特許文献１】特開２０１３−１２４１６６号公報
【発明の概要】
【発明が解決しようとする課題】
【０００７】
発明が解決しようとする課題は、映像表示の技術を用いることで、ハードウェアを持たず、いつでも要素の編集やメモの保存が容易にでき、使用スペースを最小限に抑え、位置変更も可能な機器の保守・点検システムを提供することである。
【課題を解決するための手段】
【０００８】
本実施形態に係る機器の保守・点検システムは、送信手段と、表示手段と、受付手段と、を備えた携帯端末と、保守点検対象の機器と前記携帯端末とを接続するサーバと、を有し、前記送信手段は前記機器を特定するためのＩＤ情報を前記サーバに送信し、前記表示手段は前記サーバから前記ＩＤ情報に応じた操作盤を表示し、前記受付手段は表示された前記操作盤を用いて操作指示を受け付け、前記送信手段は前記操作指示を前記サーバに送信することを特徴とする機器の保守・点検システム。
【図面の簡単な説明】
【０００９】
【図１】第１の実施形態に係る機器の保守・点検システムの構成を示す図。
【図２】第１の実施形態に係る携帯端末に表示した操作盤の表示例。
【図３】第１の実施形態に係る携帯端末を用いて機器の保守・点検をする際のやり取りを示したシーケンス図。
【図４】第１の実施形態に係る携帯端末を用いて機器の保守・点検をする際の手順を示したフローチャート。
【図５】第１の実施形態に係る携帯端末に表示した操作盤における、要素の編集の一例を示す図。
【図６】第１の実施形態に係る携帯端末に表示した操作盤の表示内容を変更する際のやり取りを示したシーケンス図。
【図７】第１の実施形態に係る携帯端末に表示した操作盤の表示内容を変更する際の手順を示したフローチャート。
【図８】第１の実施形態に係る携帯端末に表示した操作盤における、メモの一例を示す図。
【図９】第１の実施形態に係る携帯端末に表示した操作盤にメモを残す際のやり取りを示したシーケンス図。
【図１０】第１の実施形態に係る携帯端末に表示した操作盤にメモを残す際の手順を示したフローチャート。
【図１１】第２の実施形態に係る機器の保守・点検システムの構成を示す図。
【図１２】第２の実施形態に係る立体投影した３Ｄ操作盤の一例を示す図。
【図１３】第２の実施形態に係る立体投影した３Ｄ操作盤を用いて機器の保守・点検をする際のやり取りを示したシーケンス図。
【図１４】第２の実施形態に係る立体投影した３Ｄ操作盤の要素を編集する際のやり取りを示したシーケンス図。
【図１５】第２の実施形態に係る立体投影した３Ｄ操作盤にメモを残す際のやり取りを示したシーケンス図。
【図１６】従来の機器の保守・点検システムの構成を示す図。
【発明を実施するための形態】
【００１０】
以下、図面を参照して第１の実施形態に係る機器の保守・点検システムを説明する。
【００１１】
（第１の実施形態）
図１は、第１の実施形態に係る機器の保守・点検システムの構成図の一例である。第１の実施形態の保守・点検システムは、保守・点検したい機器１４と、コントローラ１３、サーバ１２、監視室の監視操作盤１１、携帯端末１５から構成されている。サーバ１２と携帯端末１５は、有線又は無線でネットワーク接続され、この携帯端末１５が操作盤の役割をする。
【００１２】
この携帯端末１５は、機器１４が設置されている機器現場で保守・点検を行う時に使用する。即ち、作業員は、機器１４の現場で、機器１４のメータや排出物の流量や色などの状況を見ながら携帯端末１５を操作して、機器１４が正常に動作しているかをチェックする。この携帯端末１５には、保守・点検に関する情報・要素が表示されるので、それらを見て操作することで、操作盤と同様に機器の状況を把握し、機器１４の保守・点検作業を行うことができる。サーバ１２は、携帯端末１５と連携して機器１４の保守・点検を実行する制御プログラム、および機器１４の操作盤のデータを記憶するメモリ１２Ａを含んでいる。
【００１３】
図２は、携帯端末１５の画面に表示される操作盤の一例である。機器別にボタンスイッチ２１やダイヤル２２、レバー２３等が表示されており、これらに触れたりスクロール操作したりすることで、通常の操作盤と同じ操作が可能となる。表示内容を編集するための編集ボタン２４や、メモを残すためのメモ編集ボタン２５も備えている。
【００１４】
図３は、携帯端末１５を通して機器１４の保守・点検作業をする際のやり取りを示したシーケンス図である。
【００１５】
まず、機器現場の作業者は、携帯端末１５のネットワーク接続のアプリケーションを起動すると共に、携帯端末１５から所定のセキュリティ入力を行って、携帯端末１５とサーバ１２と接続する。次に、機器１４を特定するＩＤ情報を携帯端末１５に入力し、その情報をサーバ１２に送信する。サーバ１２は、受信したＩＤ情報に応じた操作盤情報などの表示内容のデータを携帯端末１５に送信する。携帯端末１５は、サーバ１２から送られてきたデータを表示する。
【００１６】
ＩＤ情報は、機器１４に刻印されているＩＤ番号を手動で携帯端末１５のキーパッドから入力しても良いし、ＩＤ情報が登録されたＱＲコード（登録商標）が機器現場に印字または貼り付けされている場合は、それを携帯端末１５が読み取ることで入力しても良い。機器１４にＲＦＩＤの送信機能を備えて、それを携帯端末１５が読み取とってＩＤ情報を取得するのでも良い。また、携帯端末１５にＧＰＳ機能が搭載されていれば、そのＧＰＳ座標をＩＤ情報として登録して、それを入力するのでも良い。一方、サーバ１２のメモリ１２Ａには、上記ＩＤ情報に対応して当該機器１４の操作盤のデータが格納されている。この操作盤のデータには、サーバ１２によって収集される時事刻々変化している機器１４の動作状態を含んでいる。よって、作業員は、機器現場で、その機器１４の保守・点検の操作に必要な操作盤のデータを携帯端末１５上に表示することができるので、監視室の監視操作盤１１と同じ状態で、かつ同じような操作で保守・点検を行うことができる。
【００１７】
次に、作業者が、携帯端末１５を画面に表示されている操作盤を操作して作業指示を入力すると、携帯端末１５は指示内容をサーバ１２に送信する。サーバ１２は、コントローラ１３を通じて対象の機器１４に指示信号を送信する。機器１４は指示信号を受けて定められた動作を実行し、実行結果を、コントローラ１３を通じてサーバ１２へ送信する。何らかの原因で定められた動作を実行できなかった場合も、その実行結果を、コントローラ１３を通じてサーバ１２へ送信する。サーバ１２は、機器１４から送られてきた実行結果を携帯端末１５に送信する。携帯端末１５は、送られてきた動作状況の内容を表示する。
【００１８】
こうして、作業者は、携帯端末１５を用いて機器１４の保守・点検作業を行い、その点検した作業内容を確認することができる。
【００１９】
図４は、携帯端末１５を通して機器１４の保守・点検作業をする際の手順を示したフローチャートである。
【００２０】
まず、作業者は、機器１４を特定するＩＤ情報を携帯端末１５から入力し（Ｓ３１）、そのＩＤ情報をサーバ１２に送信する。サーバ１２は、メモリ１２Ａに受信したＩＤ情報に応じた操作盤のデータが予め登録されていれば（Ｓ３２、Ｙｅｓ）そのデータを携帯端末１５に送る。携帯端末１５は、サーバ１２から送られてきた操作盤のデータを画面に表示する（Ｓ３３）。作業者は、表示データを確認して、携帯端末１５の画面に表示された操作盤を操作して保守・点検する必要があれば（Ｓ３４、Ｙｅｓ）、その表示をタッチまたはスクロールするなどして操作し、機器１４に対する操作内容を指示する（Ｓ３５）。機器１４は、上述したルートを経て指示信号を受信すると、その指示信号に応じた動作を実施する（Ｓ３６）。そして、その機器１４の動作状態の内容は、サーバ１２を通ってデータが携帯端末１５に送られ、携帯端末１５の画面に表示され（Ｓ３７）、終了となる。
【００２１】
初めに携帯端末１５から入力したＩＤ情報に応じた操作盤のデータがメモリ１２Ａに登録されていない場合（Ｓ３２、Ｎｏ）は、エラーメッセージが表示される（Ｓ３８）。また、携帯端末１５の画面に操作盤は表示されたが、それ以上の操作はしない場合は（Ｓ３４、Ｎｏ）、その時点で手順は終了となる。
【００２２】
なお、携帯端末１５の画面に表示されている要素を何かの拍子に誤って画面に触っただけでも機器１４が作動してしまう可能性があるので、重要な作業は、操作用のパスワード入力を必須とする、もしくは長押しするなどして、正しい操作と判断できるような認識方法にしてもよい。
【００２３】
携帯端末１５を用いた操作盤に表示する要素は、必要に応じて変更が可能である。使用しない要素がいくつも表示されていたり、操作の順序とは関係なく要素が配置されたりすると、配置が煩雑になりわかりにくいだけでなく、操作を誤る可能性もある。また近くに別な機器を建設した時は、操作盤も新設する必要がある。
【００２４】
図５は、図２に示した操作盤から要素２６を追加した例、および要素２７を削除した例を示している。このように、携帯端末１５を用いた操作盤では、表示される機器や要素を追加・削除し、それらの配置を変更することができる。
【００２５】
図６は、携帯端末１５から操作盤の表示内容の変更をする際のやり取りを示したシーケンス図である。
【００２６】
まず、作業者は、携帯端末１５に表示される操作盤の編集画面を開く。図２に示す編集ボタン２４をタッチすることで、編集画面を開くことができる。携帯端末１５は、編集画面で作業者からの追加・削除などの編集指示を受けたら、編集内容をサーバ１２へ送信する。サーバ１２は、受信した編集内容から追加・削除される変更回路に問題がないか等の安全チェックを実行して、問題がなければスイッチの切り替え又は予備器への切り替えなどにより回路変更を行う。そして、サーバ１２は、更新画面の操作盤のデータを携帯端末１５に送る。携帯端末１５は、その更新画面を表示して、作業者は、更新の完了を確認できる。
【００２７】
図７は、上述した操作盤の表示内容を編集する際のフローチャートである。なお、フローチャートには、セキュリティに関する操作などは省略している。
【００２８】
まず、作業者は、図２に示す「編集」ボタン２４をタッチして編集画面を表示する（Ｓ４１）。操作対象となる機器１４の変更を行う場合は（Ｓ４２、Ｙｅｓ）、追加または削除したい機器１４を選択し（Ｓ４４）、追加または削除の指示を入力する（Ｓ４５）。機器１４を変更しない場合、または機器の変更入力が終わったら（Ｓ４２、Ｎｏ）、次に、要素の変更をする（Ｓ４３、Ｙｅｓ）。操作対象となる機器１４を選択し（Ｓ４６）、表示される要素の追加・削除・配置変更の入力を行う（Ｓ４７）。ここで、フォントの変更や表示の大きさを変更することも可能である。表示される要素を変更しない場合、または要素の変更が全て終了したら（Ｓ４３、Ｎｏ）、「完了」ボタンをタッチして編集完了となる。
【００２９】
図８は、操作盤にメモ２８を記入した例を示す。表示されている要素に不具合がある時など、操作盤の画面上にメモ２８を残しておくことにより、他の作業者にも分かるようメッセージを残すことができる。
【００３０】
図９は、表示するメモ２８の編集をする際のやり取りを示したシーケンス図である。
【００３１】
まず、作業者は、メモを作成するために携帯端末１５の編集画面を開く。即ち、図２に示すメモボタン２５をタッチすることで、サーバ１２から携帯端末１５に画面データが送信されて編集画面を開くことができる。携帯端末１５のメモ編集画面で作業者からの編集内容が入力されると、携帯端末１５は編集内容をサーバ１２へ送信する。サーバ１２から編集内容が反映された画面のデータが送られてくるので、携帯端末１５はそのデータを表示する。こうして操作盤上にメモを残しておくことができる。
【００３２】
図１０は、操作盤にメモを残す際のフローチャートである。
【００３３】
まず、作業者は、携帯端末１５の図２に示す「メモ」ボタン２５をタッチして、メモ編集画面を開く（Ｓ５１）。すでにメモが記入されており、それを削除する場合は（Ｓ５２、Ｙｅｓ）、削除するメモを選択し（Ｓ５４）、削除を実行する（Ｓ５５）。初めからメモがない場合や、不要なメモを全て削除した場合は（Ｓ５２、Ｎｏ）、メモを記入する（Ｓ５３、Ｙｅｓ）。メモ作成用に線、文字、記号、線等の最適なアイテムを選択し（Ｓ５６）、画面にメモ２８を記入する（Ｓ５７）。メモを記入しない場合、またはメモを全て記入し終えたら（Ｓ５３、Ｎｏ）、「完了」ボタンをタッチして、メモの編集完了となる。こうして操作盤の画面上にメモを残し、簡単に他の作業者にメッセージを伝達することができる。画面上にデータとしてメモを残すことで、付箋やガムテープなどを使った場合に比べて見栄えが悪くならず、またメモを紛失してしまうこともない。
【００３４】
（第２の実施形態）
第１の実施形態では、携帯端末１５に、操作に必要な情報・要素を表示させていた。携帯端末１５は手軽で便利であるが、表示できる画面の大きさに限りがあり、複数の人が同時に表示内容を見る場合は不向きである。また、表示する要素が多いと、隣のボタンをタッチしてしまうなど思い通りに操作できないこともある。そこで、第２の実施形態では、３Ｄプロジェクタを用いて、空間に大きく操作盤を映し出すこととする。こうすることで、携帯端末１５よりも見易い大きな画面で表示することが可能となり、複数の作業員が同時に表示を見たり、操作しやすい大きさに表示したりすることができる。
【００３５】
図１１は、３Ｄプロジェクタを用いた、第２の実施形態に係る機器１４の保守・点検システムの構成図の一例である。監視操作盤１１、サーバ１２、コントローラ１３、機器１４については、第１の実施形態と同様のため説明を省略する。第２の実施形態では、３Ｄプロジェクタ１６が、サーバ１２とネットワーク通信により接続されている。３Ｄプロジェクタ１６は、３Ｄ操作盤１７を立体的に投影し、作業者は投影された３Ｄ操作盤１７を操作することで、機器１４の保守・点検が可能となる。即ち、作業員は、機器１４の現場で、機器１４のメータや排出物の流量や色などの状況を見ながら３Ｄプロジェクタ１６によって投影表示される３Ｄ操作盤１７を操作して、機器１４が正常に動作しているかをチェックする。
【００３６】
図１２は、３Ｄプロジェクタ１６によって表示される３Ｄ操作盤１７の一例である。３Ｄ操作盤１７には、通常の操作盤と同様にボタンスイッチ６１や、ダイヤル又はメータ６２、レバー６３などが配置される。第１の実施形態の携帯端末１５と同様に、３Ｄ操作盤１７に表示される内容を編集するための編集ボタン６４、およびメモを記入するためのメモ編集ボタン６５も備えている。
【００３７】
図１３は、３Ｄプロジェクタ１６によって投影表示される３Ｄ操作盤１７を用いて機器１４の保守・点検作業をする際のやり取りを示したシーケンス図である。
【００３８】
まず、機器現場の作業者は、３Ｄプロジェクタ１６からネットワーク接続のアプリケーションを起動すると共に、所定のセキュリティ処理を行って、３Ｄプロジェクタ１６とサーバ１２とを接続する。次に、機器１４を特定するＩＤ情報を３Ｄプロジェクタから入力し、そのＩＤ情報をサーバ１２に送信する。サーバ１２は、受信したＩＤ情報に応じた表示内容のデータを３Ｄプロジェクタ１６に送信する。３Ｄプロジェクタ１６は、送られてきたデータを立体投影し、３Ｄ操作盤１７を表示する。
【００３９】
ＩＤ情報は、第１の実施形態と同様に、機器１４に刻印されているＩＤ番号を手動で３Ｄプロジェクタ１６のキーパッドから入力しても良いし、機器現場にＩＤ情報が登録されたＱＲコード（登録商標）が印字又は貼り付けされている場合は、それを３Ｄプロジェクタ１６が読み取ることで入力しても良い。機器１４にＲＦＩＤの送信機能を備えて、それを３Ｄプロジェクタ１６が読み取とってＩＤ情報を取得するのでも良い。また、３Ｄプロジェクタ１６にＧＰＳ機能が搭載されていれば、そのＧＰＳ座標をＩＤ情報として登録して、それを入力するのでも良い。サーバ１２のメモリ１２Ａから読み出した上記ＩＤ情報に対応する当該機器１４の操作盤のデータを３Ｄプロジェクタ１６によって３Ｄ操作盤１７として表示することで、監視室の監視操作盤と同じ状態で、且つ同じような操作で保守・点検を行うことができる。
【００４０】
作業者が、３Ｄプロジェクタ１６によって表示された３Ｄ操作盤１７を操作して保守・点検のための作業指示を入力すると、３Ｄプロジェクタ１６は指示内容を検知し、検知した指示内容をサーバ１２に送信する。サーバ１２は、コントローラ１３を通じて対象の機器１４に指示信号を送信する。機器１４は、指示信号を受けて定められた動作を実行し、実行結果を、コントローラ１３を通じてサーバ１２へ送信する。何らかの原因で定められた動作を実行できなかった場合も、その実行結果を、コントローラ１３を通じてサーバ１２へ送信する。サーバ１２は、機器１４から送られてきた実行結果を３Ｄプロジェクタ１６に送信する。３Ｄプロジェクタ１６は、送られてきた実行結果を投影する。こうして、作業者は３Ｄプロジェクタ１６が立体投影した３Ｄ操作盤１７を用いて機器１４の保守・点検作業を行い、動作状況などの作業結果を確認することができる。
【００４１】
図１４は、３Ｄ操作盤１７の表示内容の変更をする際のやり取りを示したシーケンス図である。
【００４２】
まず、作業者は、３Ｄ操作盤１７の表示を編集モードにする。即ち、図１２に示す編集ボタン６４をタッチすることで、サーバ１２から編集モードの投影データが３Ｄプロジェクタ１６に送られてきて、投影されている３Ｄ操作盤１７の表示を編集モードにする事ができる。そして、３Ｄ操作盤１７に対する編集内容を指示する。３Ｄプロジェクタ１６は、作業者からの編集指示を検知したら、編集指示の内容をサーバ１２へ送信する。サーバ１２は、編集指示の内容に対し安全チェックを実行して更新可能と判断できた場合は、更新された表示のデータを３Ｄプロジェクタ１６に送信し、３Ｄプロジェクタ１６はそのデータを投影する。こうして、作業者は、投影された３Ｄ操作盤１７の表示内容を変更することができる。
【００４３】
図１５は、３Ｄ操作盤１７に表示するメモの変更をする際のやり取りを示したシーケンス図である。
【００４４】
まず、作業者は、３Ｄ操作盤１７の表示内容をメモ編集モードにする。即ち、図１２に示すメモボタン６５をタッチすることで、サーバ１２からメモ編集モードの投影データが３Ｄプロジェクタ１６に送られてきて、投影されている３Ｄ操作盤１７の表示をメモ編集モードにする事ができる。そして、作業者はメモの編集内容を入力して指示する。３Ｄプロジェクタ１６は、メモ編集画面で作業者からの編集指示を検知したら、その編集内容をサーバ１２へ送信する。サーバ１２は、更新された表示のデータを３Ｄプロジェクタ１６に送信し、３Ｄプロジェクタ１６は、そのデータを投影する。こうして作業者は、投影された３Ｄ操作盤１７にメモを残すことができる。
【００４５】
機器１４の作業や、表示内容の変更、表示するメモの変更をする際の手順は、第１の実施形態と同様のため、説明を省く。
【００４６】
第２の実施形態では操作盤を操作したことを３Ｄプロジェクタ１６が検知しているが、検知する装置を別に設け、その検知する装置が、検知した内容を３Ｄプロジェクタ１６に送信することで、３Ｄプロジェクタ１６が検知内容を認識するのでも良い。もしくは、その検知する装置がサーバ１２にデータを直接送信することで、３Ｄプロジェクタ１６を介さずに指示を出しても良い。
【００４７】
なお、いくつかの実施形態を説明したが、これらの実施形態は、例として提示したものであり、発明の範囲を限定する事は意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１１  監視操作盤
１２  サーバ
１２Ａ  メモリ
１３  コントローラ
１４  機器
１５  携帯端末
１６  ３Ｄプロジェクタ
１７  ３Ｄ操作盤
２１  ボタンスイッチ
２２  ダイヤル又はメータ
２３  レバー
２４  編集ボタン
２５  メモ編集ボタン
２６  追加した要素
２７  削除した要素
２８  メモ
６１  ボタンスイッチ
６２  ダイヤル又はメータ
６３  レバー
６４  編集ボタン
６５  メモ編集ボタン 
【図１】
2016115217.tif 000003
【図２】
2016115217.tif 000004
【図３】
2016115217.tif 000005
【図４】
2016115217.tif 000006
【図５】
2016115217.tif 000007
【図６】
2016115217.tif 000008
【図７】
2016115217.tif 000009
【図８】
2016115217.tif 000010
【図９】
2016115217.tif 000011
【図１０】
2016115217.tif 000012
【図１１】
2016115217.tif 000013
【図１２】
2016115217.tif 000014
【図１３】
2016115217.tif 000015
【図１４】
2016115217.tif 000016
【図１５】
2016115217.tif 000017
【図１６】
2016115217.tif 000018